(57)【要約】【課題】都度機械的に赤外線発光方向を変更せずに複数の機器を制御可能にする赤外線通信装置を提供することを目的とする。【解決手段】少なくとも空間の上部方向に向けられた第１の赤外発光手段２と、空間の水平方向に向けられた第２の赤外発光手段３と、第１の赤外発光手段２を所定の電流で駆動する第１の駆動手段４と、第２の赤外発光手段３を第１の駆動手段４より少ない電流で駆動する第２の駆動手段５と、第１、第２の駆動手段４、５を所定のデータにより駆動制御する制御手段６と、外部から所定のデータを取り込む通信制御手段７と、前記各手段に電源を供給する電池電源８とを有する。このように、方向を変えた二つの赤外発光手段２、３を備えたこととその発光強度を考慮することで、赤外線発光方向を変更せずに複数の機器が制御可能であるとともに電池電源を有効に使用することが可能となる。【選択図】図１
2006345142.tif 000002
【特許請求の範囲】
【請求項１】
少なくとも空間の上部方向に向けられた第１の赤外発光手段と、空間の水平方向に向けられた第２の赤外発光手段と、前記第１の赤外発光手段を所定の電流で駆動する第１の駆動手段と、前記第２の赤外発光手段を第１の駆動手段より少ない電流で駆動する第２の駆動手段と、前記第１、第２の駆動手段を所定のデータにより駆動制御する制御手段と、外部から前記所定のデータを取り込む通信制御手段と、前記各手段に電源を供給する電池電源とを有する赤外線通信装置。
【請求項２】
制御手段は、通信制御手段により受信した電文を解析する電文解析手段と、電文解析手段により解析した結果により第１、第２の駆動手段を選択し一方のみに駆動データ送出する駆動選択手段とを備えた請求項１に記載の赤外線通信装置。
【請求項３】
制御手段は、第１の駆動手段へ所定のデータを再送する再送手段を備えた請求項２に記載の赤外線通信装置。
【請求項４】
制御手段は、第１の駆動手段の駆動電流を切り替える駆動切替手段を備えた請求項２に記載の赤外線通信装置。
【発明の詳細な説明】
【技術分野】
【０００１】
本発明は、遠隔制御により屋内に設置された照明やテレビなどを赤外線により動作制御を行う赤外線通信装置に関するものである。
【背景技術】
【０００２】
従来、この種の赤外通信装置は、屋内に設置された機器を特定し、赤外発光の方向を制御対象の機器に機械的に向けるように構成されている（例えば、特許文献１参照）。
【特許文献１】実用新案登録第３０４８５４４号公報
【発明の開示】
【発明が解決しようとする課題】
【０００３】
しかしながら、前記従来の構成では、赤外線送信装置に可動可能な赤外線発光手段を設けることにより、可動部の構成が複雑になるほか、制御対象の機器の位置が変わる度に赤外線発光手段の方向を変えなければならないなど操作性が悪いという課題を有していた。
【０００４】
本発明は、前記従来の課題を解決するもので、都度機械的に赤外線発光方向を変更せずに住居空間に設置された複数の機器を制御可能にする赤外線通信装置を提供することを目的とする。
【課題を解決するための手段】
【０００５】
前記従来の課題を解決するために、本発明の赤外線通信装置は、少なくとも空間の上部方向に向けられた第１の赤外発光手段と、空間の水平方向に向けられた第２の赤外発光手段と、第１の赤外発光手段を所定の電流で駆動する第１の駆動手段と、第２の赤外発光手段を第１の駆動手段より少ない電流で駆動する第２の駆動手段と、第１、第２の駆動手段を所定のデータにより駆動制御する制御手段と、外部から前記所定のデータを取り込む通信制御手段と、前記各手段に電源を供給する電池電源とを有するものである。
【０００６】
これによって、都度機械的に赤外線発光方向を変更せずに住居空間に設置された複数の機器が制御可能であるとともに電池電源を有効に使用することが可能となる。
【発明の効果】
【０００７】
本発明の赤外線通信装置は、赤外線発光方向を変更せずに複数の機器が制御可能であるとともに電池電源を有効に使用することが可能となる。
【発明を実施するための最良の形態】
【０００８】
第１の発明は、少なくとも空間の上部方向に向けられた第１の赤外発光手段と、空間の水平方向に向けられた第２の赤外発光手段と、前記第１の赤外発光手段を所定の電流で駆動する第１の駆動手段と、前記第２の赤外発光手段を第１の駆動手段より少ない電流で駆動する第２の駆動手段と、前記第１、第２の駆動手段を所定のデータにより駆動制御する制御手段と、外部から前記所定のデータを取り込む通信制御手段と、前記各手段に電源を供給する電池電源とを有する赤外線通信装置とすることにより、都度機械的に赤外線発光方向を変更せずに住居空間に設置された複数の機器が制御可能であるとともに電池電源を有効に使用することが可能となる。特に、電池電源の有効使用は、空間の上部にある光入力感度の悪い照明機器には強い赤外線出力を出すとともに、テレビなど照明機器より光入力感度が良い機器には弱い赤外線出力を出すことにより、可能となる。
【０００９】
第２の発明は、特に、第１の発明において、制御手段は、通信制御手段により受信した
電文を解析する電文解析手段と、電文解析手段により解析した結果により第１、第２の駆動手段を選択し一方のみに駆動データ送出する駆動選択手段とを備えたことにより、すべての赤外線発光手段を動作させることなく制御対象の機器に対応した赤外線発光手段のみ動作させることができ、電池電源を有効に使用することが可能となる。
【００１０】
第３の発明は、特に、第２の発明において、制御手段は、第１の駆動手段へ所定のデータを再送する再送手段を備えたことにより、制御対象となる光受信感度の悪い機器に対して赤外線データを再送することができ、通信の信頼性を向上させるとともに電池電源を有効に使用することが可能となる。
【００１１】
第４の発明は、特に、第２の発明において、制御手段は、第１の駆動手段の駆動電流を切り替える駆動切替手段を備えたことにより、制御対象となる照明機器などの点灯、消灯に対して赤外線出力を変化させることにより、電池電源を有効に使用することが可能となる。
【００１２】
以下、本発明の実施の形態について、図面を参照しながら説明する。なお、この実施の形態によって本発明が限定されるものではない。
【００１３】
（実施の形態１）
図１、図２は、本発明の実施の形態１における赤外線通信装置を示すものである。
【００１４】
図１に示すように、赤外線通信装置１は、少なくとも空間の上部方向に向けられ主に照明機器を制御する第１の赤外発光手段２と、空間の水平方向に向けられ主にテレビやエアコンなどを制御する第２の赤外発光手段３と、第１の赤外発光手段２を所定の電流で駆動する第１の駆動手段４と、第２の赤外発光手段３を第１の駆動手段４より少ない電流で駆動する第２の駆動手段５と、第１、第２の駆動手段４、５を所定のデータにより駆動制御する制御手段６と、外部から所定のデータを取り込む通信制御手段７と、前記各手段２〜７に電源を供給する電池電源８とを有するものである。
【００１５】
赤外線データの出力は、通信制御手段７により外部から有線または無線を介して受信したデータを制御手段６により、第１の赤外発光手段２、第２の赤外発光手段３を駆動する第１の駆動手段４、第２の駆動手段５に入力することにより行われる。
【００１６】
図２は、赤外線通信装置１の使用例を示しており、第１の赤外発光手段２は赤外発光ＬＥＤから構成され、空間の上部にある照明機器９の方向に向けられている。また、第２の赤外発光手段３は空間の水平方向に設置されるテレビ１０などの方向に向けられるように構成されている。照明機器９はその構成上、図示はしないが赤外線データ受信部が笠の中にあり、テレビ１０などの赤外線受講部の感度より低くなってしまう。従って、空間内で同等の距離離れた照明機器９にはテレビ１０より強い赤外出力を出す必要がある。
【００１７】
そこで、第１の赤外発光手段２の発光強度を第２の赤外発光手段３より強くすることにより、機械的に発光方向を変更せずに空間の照明機器やテレビなどを赤外線通信で制御することが可能となる。
【００１８】
このように、本実施の形態では、方向を変えた第１の赤外発光手段２と第２の赤外発光手段３を備え、その発光強度を考慮することで、都度機械的に赤外線発光方向を変更せずに住居空間に設置された複数の機器が制御可能であるとともに電池電源を有効に使用することが可能となる。特に、電池電源の有効使用は、空間の上部にある光入力感度の悪い照明機器には強い赤外線出力を出すとともに、テレビなど照明機器より光入力感度が良い機器には弱い赤外線出力を出すことにより、可能となる。
【００１９】
（実施の形態２）
図３は、本発明の実施の形態２における赤外線通信装置を示すものである。実施の形態１と同一要素については同一符号を付してその説明を省略する。
【００２０】
本実施の形態における赤外線通信装置は、制御手段６には、通信制御手段７により受信した電文を解析する電文解析手段６ａと、電文解析手段６ａにより解析した結果、受信電文が照明機器の制御かテレビの制御かを判別し、第１、第２の駆動手段４、５を選択し一方のみに駆動データ送出する駆動選択手段６ｂとを備えたものである。従って、すべての赤外発光手段２、３を動作させることなく制御対象の機器に対応した赤外線発光手段のみ動作させることができるものである。その他は実施の形態１と同じである。
【００２１】
このように、本実施の形態では、電文解析手段６ａと駆動選択手段６ｂを備えることにより、すべての赤外線発光手段を動作させることなく制御対象の機器に対応した赤外線発光手段のみ動作させることができ、電池電源を有効に使用することが可能となる。
【００２２】
（実施の形態３）
図４は、本発明の実施の形態３における赤外線通信装置を示すものである。実施の形態１、２と同一要素については同一符号を付してその説明を省略する。
【００２３】
本実施の形態における赤外線通信装置は、制御手段６には、第１の駆動手段４へ所定のデータを再送する再送手段６ｃを備えたものである。従って、駆動選択手段６ｂにより第１の駆動手段４が選択された場合にその出力データを所定の回数再送するものである。その他は実施の形態２と同じである。
【００２４】
このように、本実施の形態では、再送手段６ｃを備えたことにより、制御対象となる光受信感度の悪い機器に対して赤外線データを再送することができ、通信の信頼性を向上させるとともに電池電源を有効に使用することが可能となる。
【００２５】
（実施の形態４）
図５は、本発明の実施の形態４における赤外線通信装置を示すものである。実施の形態１、２と同一要素については同一符号を付してその説明を省略する。
【００２６】
本実施の形態における赤外線通信装置は、制御手段６には、第１の駆動手段４の駆動電流を切り替える駆動切替手段６ｄを備えたものである。従って、第１の赤外発行手段２は照明機器を点灯させる場合より消灯させる場合の赤外線発光強度を強くさせるよう動作するようにした。その他は実施の形態２と同じである。
【００２７】
このように、本実施の形態では、駆動切替手段６ｄを備えたことにより、制御対象となる照明機器などの点灯、消灯に対して赤外線出力を変化させることにより、通信の信頼性を向上させるとともに電池電源を有効に使用することが可能となる。
【産業上の利用可能性】
【００２８】
以上のように、本発明にかかる赤外線通信装置は、赤外線発光方向を変更せずに複数の機器を制御可能であるとともに電池電源を有効に使用することが可能となるので、単一の装置により、空間の照明機器、テレビなどのＡＶ機器や、赤外線受光部を備えた各種機器の遠隔制御に適用できる。
【図面の簡単な説明】
【００２９】
【図１】本発明の実施の形態１における赤外線通信装置の構成を示すブロック図
【図２】同赤外線通信装置の使用状態を示す図
【図３】本発明の実施の形態２における赤外線通信装置の構成を示すブロック図
【図４】本発明の実施の形態３における赤外線通信装置の構成を示すブロック図
【図５】本発明の実施の形態４における赤外線通信装置の構成を示すブロック図
【符号の説明】
【００３０】
１  赤外線通信装置
２  第１の赤外発光手段
３  第２の赤外発光手段
４  第１の駆動手段
５  第２の駆動手段
６  制御手段
７  通信制御手段
８  電池電源
９  照明機器
１０  テレビ
【図１】
2006345142.tif 000003
【図２】
2006345142.tif 000004
【図３】
2006345142.tif 000005
【図４】
2006345142.tif 000006
【図５】
2006345142.tif 000007